(57)【特許請求の範囲】
【請求項１】
セルラー通信ネットワークと通信するように動作可能なワイヤレスインターフェース（３０）
を備え、ユーザ機器（２１，２２）が、セルラーネットワークノード（２，１０）から複数の無認可キャリア（５３〜５７）についての優先順位付け情報（８１；１０１）を受信するように動作可能であり、
前記ユーザ機器（２１，２２）が、チャネル測定またはキャリア選択のために前記優先順位付け情報（８１；１０１）を使用するように動作可能であり、
前記優先順位付け情報が、無認可キャリアの第１の組（６８）、および前記無認可キャリアの第１の組（６８）とは異なる無認可キャリアの第２の組（６９）を定義し、
前記ユーザ機器（２１，２２）が、
前記無認可キャリアの第１の組（６８）の少なくとも１つのキャリアについてのチャネル測定を実行し、
トリガイベントの検出に応答して、前記無認可キャリアの第２の組（６９）のうちの少なくとも１つのキャリアについてチャネル測定の実行を開始する
ように動作可能であり、
前記トリガイベントが、トリガメッセージの受信を含む、
ユーザ機器。
【請求項２】
前記ユーザ機器（２１，２２）が、前記トリガイベントを検出することに応答して、前記無認可キャリアの第２の組（６９）のうちの前記少なくとも１つのキャリアについての前記チャネル測定の報告を開始するように動作可能であり、
前記トリガイベントが、随意に、前記無認可キャリアの第１の組（６８）の特性に依存する、
請求項１に記載のユーザ機器。
【請求項３】
前記トリガイベントが、通信に利用可能な前記無認可キャリアの第１の組（６８）の中のキャリアの数の閾値比較を含む、
請求項２に記載のユーザ機器。
【請求項４】
前記ユーザ機器が、随意に、認可キャリアを介して前記トリガメッセージを受信するように動作可能である、
請求項１に記載のユーザ機器。
【請求項５】
前記ユーザ機器（２１，２２）が、前記複数の無認可キャリアからアクティブキャリアを選択するために前記優先順位情報を使用するように動作可能であり、
前記ユーザ機器（２１，２２）が、随意に、キャリア再選択のために前記優先順位情報を使用するように動作可能である、
請求項１に記載のユーザ機器。
【請求項６】
前記ユーザ機器（２１，２２）が、随意に、認可キャリアを介して、前記選択されたキャリアに関する情報を前記セルラー通信ネットワークに送信するように動作可能である、
請求項５に記載のユーザ機器。
【請求項７】
前記ユーザ機器（２１，２２）が、グループ情報（１３１，１３２）を前記セルラーネットワークノード（２，１０）から受信するように動作可能であり、前記グループ情報（１３１，１３２）が、前記ユーザ機器（２１，２２）をユーザ機器のグループに割り当て、
前記ユーザ機器（２１，２２）が、前記セルラー通信ネットワークからのマルチキャストメッセージ（１３３）に応答して、前記複数の無認可キャリアから選択されたアクティブキャリアを切り替えるように動作可能である、
請求項１に記載のユーザ機器。
【請求項８】
ユーザ機器（２，１０）と通信するためのワイヤレスインターフェース（４０）と、
前記ワイヤレスインターフェース（４０）に結合され、複数の無認可キャリアの優先順位付け情報（８１，１０１）を少なくとも１つのユーザ機器（２１，２２）に送信するように前記ワイヤレスインターフェース（４０）を制御するように動作可能である処理デバイス（４５）と、
を備え、
前記優先順位付け情報（８１）が、無認可キャリアの第１の組（６８）、および前記無認可キャリアの第１の組とは異なる無認可キャリアの第２の組（６９）を定義し、
前記セルラーネットワークノード（２，１０）が、前記少なくとも１つのユーザ機器（２１，２２）においてトリガイベントを事前構成するように動作可能であり、前記トリガイベントが、前記少なくとも１つのユーザ機器（２１，２２）に前記無認可キャリアの第２の組（６９）の少なくとも１つのキャリアについてのチャネル測定の実行を開始させ、
前記トリガイベントが、トリガメッセージの受信を含む、
セルラーネットワークノード。
【請求項９】
前記セルラーネットワークノード（２，１０）が、前記セルラーネットワークノード（２，１０）によって実行されたチャネル測定に基づいて、および／または前記ユーザ機器（２１，２２）によって実行されたチャネル測定に基づいて、前記無認可キャリアの第１の組（６８）、および前記無認可キャリアの第２の組（６９）を定義するように動作可能である、
請求項８に記載のセルラーネットワークノード。
【請求項１０】
前記セルラーネットワークノード（２，１０）が、
前記少なくとも１つのユーザ機器をユーザ機器のグループに割り当て、
前記グループのすべてのユーザ機器が別の無認可キャリアに切り替わるようにするためにマルチキャストメッセージ（１３３）を送信する
ように動作可能である、
請求項８に記載のセルラーネットワークノード。
【請求項１１】
セルラー通信ネットワークのための無認可キャリアを使用する方法であって、
ユーザ機器（２１，２２）によって、セルラーネットワークノード（２，１０）から複数の無認可キャリアの優先順位付け情報（８１，８２）を受信することと、
前記ユーザ機器（２１，２２）によって、チャネル測定またはキャリア選択のために前記優先順位付け情報（８１，８２）を使用することと、
を含み、
前記優先順位付け情報（８１，８２）が、無認可キャリアの第１の組（６８）、および前記無認可キャリアの第１の組（６８）とは異なる無認可キャリアの第２の組（６９）を定義し、
チャネル測定に前記優先順位付け情報（８１，８２）を使用することが、
前記無認可キャリアの第１の組（６８）のうちの少なくとも１つのキャリアについてのチャネル測定を実行することと、
トリガイベントの検出に応答して、前記無認可キャリアの第２の組（６９）のうちの少なくとも１つのキャリアについてのチャネル測定を開始することと、
を含み、
前記トリガイベントが、トリガメッセージの受信を含む、
方法。
【発明の詳細な説明】
【技術分野】
【０００１】
本発明の実施形態は、ワイヤレス通信に関する。本発明の実施形態は、特に、無認可スペクトルのためのライセンス補助アクセス（ＬＡＡ）に関する。
【背景技術】
【０００２】
モバイル音声およびデータ通信の普及の増加に伴い、高速音声およびデータ通信に対する需要がますます高まっている。セルラー通信のための認可スペクトルは、高密度で増加する加入者ベースによって急速に使い果たされている。これは、特に、伝搬損失特性の低い有益な低周波数帯に当てはまる。
【０００３】
かなりの量の無認可スペクトルが利用可能である。説明のために、５ＧＨｚの帯域では、かなりの量のスペクトルがグローバルに利用可能である。認可周波数キャリアの容量を増大させるには、例えば、ＬＴＥ−ｕｎｌｉｃｅｎｓｅｄ（ＬＴＥ−Ｕ）スペクトルなど、無認可スペクトルを利用することが望ましい。無認可スペクトルは、モバイルサービスのためのデータトラフィックを搬送するために使用され得る。無認可スペクトルの使用の目的は、セルラー通信を無認可スペクトルまで拡張することである。
【０００４】
無認可スペクトルおよび認可スペクトルの使用が組み合わされたキャリアアグリゲーションが実行され得る。認可キャリアは、例えば、ＬＴＥ認可キャリアなど、１次キャリアであり得る。無認可キャリアは、ダウンリンクにおいて、またはアップリンクとダウンリンクの両方において、データトラフィックがオフロードされ得る２次キャリアであり得る。
【０００５】
ライセンス補助アクセス（ＬＡＡ）では、認可スペクトルのキャリア上の送信は、無認可スペクトルアクセスを支援するために使用され得る。説明のために、ＬＴＥ−Ｕデータ送信は、依然として認可スペクトルにおいて１次キャリアによって制御され得る。
【０００６】
ＬＡＡにおいて様々な問題が対処されなければならない。説明のために、非セルラー技術または他の２次セルへの干渉によって、無認可キャリアが頻繁に再構成されることが必要になる場合がある。無認可帯域内の干渉検出およびキャリア選択に関連するシグナリングオーバーヘッドは高い可能性があり、これによって効率が低下し、ネットワーク負荷が増大する。
【０００７】
さらに、ｅＮｏｄｅＢが処理する必要のある潜在的に多数のキャリアが無認可帯域内に存在する可能性がある。そのような多数のキャリアの処理は、システムの複雑さを増大させる可能性がある。
【発明の概要】
【発明が解決しようとする課題】
【０００８】
上記の欠点の少なくともいくつかを軽減するデバイス、システム、および方法が当技術分野において引き続き必要とされている。他の非セルラーデバイスおよび／または他の２次セルへの干渉を回避することに関連するシグナリングオーバーヘッドの問題を軽減しながら、無認可スペクトルにライセンス補助アクセス（ＬＡＡ）を提供するデバイス、システム、および方法が必要とされている。複雑さを適度に保ちながら、無認可スペクトルにＬＡＡを提供するデバイス、システム、および方法が必要とされている。
【課題を解決するための手段】
【０００９】
実施形態によれば、セルラー通信ネットワークのユーザ機器が、セルラーネットワークノードから複数の無認可キャリアに関する優先順位付け情報を受信するように動作可能であるデバイス、システム、および方法が提供される。ユーザ機器は、優先順位付け情報に基づいて、無認可キャリアについてのチャネル測定を選択的に適応させるために優先順位付け情報を使用し得る。代替または追加として、ユーザ機器は、優先順位付け情報に従って、別の無認可キャリアへの自律的な切替えのために優先順位付け情報を使用し得る。
【００１０】
セルラーネットワークノードは、無認可キャリアについての１つ以上のユーザ機器によって提供された測定報告を受信し得る。セルラーネットワークノードは、ユーザ機器をグループに割り当てるために、随意に、セルラーネットワークノード自体によって実行される無認可キャリアの干渉測定と組み合わせて、ユーザ機器によって提供された測定報告を使用し得る。
【００１１】
ＬＡＡは、セルラーネットワークノードがマルチキャストメッセージによってグループの無認可キャリアの使用を制御し得るグループレベルで実施されてもよい。
【００１２】
一実施形態によるユーザ機器は、セルラー通信ネットワークとの通信のために動作可能なワイヤレスインターフェースを備える。ユーザ機器は、セルラーネットワークノードから複数の無認可キャリアの優先順位付け情報を受信するように動作可能である。ユーザ機器は、チャネル測定またはキャリア選択のために優先順位付け情報を使用するように動作可能である。
【００１３】
優先順位付け情報は、ブロードキャストメッセージに含まれてもよい。
【００１４】
優先順位付け情報は、システム情報ブロックに含まれてもよい。システム情報ブロックは、チャネル測定および／またはチャネル切替えについて、いくつかの無認可キャリアのうちのどれがより高い優先順位を有し、いくつかの無認可キャリアのうちのどれがより低い優先順位を有するかを定義し得る。
【００１５】
優先順位付け情報は、無認可キャリアの第１の組、および無認可キャリアの第１の組とは異なる無認可キャリアの第２の組を定義し得る。ユーザ機器は、無認可キャリアの第１の組のうちの少なくとも１つのキャリアについてのチャネル測定を実行するように動作可能であり得る。ユーザ機器は、トリガイベントの検出に応答して、無認可キャリアの第２の組のうちの少なくとも１つのキャリアについてのチャネル測定の実行を開始するように動作可能であり得る。それによって、無認可キャリアの第２の組のチャネル測定が、トリガイベント後まで遅延され得る。ネットワーク負荷および複雑さが低減され得る。
【００１６】
無認可キャリアの第１の組および無認可キャリアの第２の組は、互いに素であり得る。
【００１７】
ユーザ機器は、トリガイベントを検出することに応答して、無認可キャリアの第２の組のうちの少なくとも１つのキャリアについてのチャネル測定の報告を開始するように動作可能であり得る。
【００１８】
ユーザ機器は、トリガイベントが検出される前に、無認可キャリアの第１の組の中の１つ以上の無認可キャリアについてのみチャネル測定を実行するように動作可能であり得る。
【００１９】
ユーザ機器は、トリガイベントが検出された後に、単独で、または第１の組の中の無認可キャリアについてのチャネル測定と組み合わせて、無認可キャリアの第２の組の中の１つ以上の無認可キャリアについてのチャネル測定を実行するように動作可能であり得る。
【００２０】
チャネル測定は、受信（ＲＸ）電力、ノイズ、または認可キャリアにおける干渉を示す他のパラメータのうちの１つ以上の測定を含み得る。
【００２１】
チャネル測定は、測定が実行される無認可キャリアの競合する非セルラーの使用を識別する測定を含み得る。
【００２２】
ユーザ機器は、セルラーネットワークノードによってユーザ機器においてトリガイベントが構成されるように動作可能であり得る。
【００２３】
トリガイベントは、無認可キャリアの第１の組の特性に依存し得る。
【００２４】
トリガイベントは、通信に利用可能な無認可キャリアの第１の組の中のキャリアの数の閾値比較を含み得る。トリガイベントを検出するために、ユーザ機器は、無認可キャリアの第１の組の中のアクティブキャリアの数を閾値と比較し、無認可キャリアの第１の組の中のアクティブキャリアの数が閾値に達する、または閾値を下回るとき、第２の組のキャリアについてのチャネル測定の実行を開始し得る。トリガイベントを検出するために、ユーザ機器は、干渉がない、または低干渉にすぎない無認可キャリアの第１の組の中のキャリアの数を識別し、このキャリアの数を閾値と比較し、無認可キャリアの第１の組の中のアクティブキャリアの数が閾値に達する、または閾値を下回るとき、第２の組のキャリアについてのチャネル測定の実行を開始し得る。
【００２５】
トリガイベントは、トリガメッセージの受信を含み得る。
【００２６】
トリガメッセージは、セルラーネットワークノードからのマルチキャストまたはブロードキャストメッセージであり得る。
【００２７】
ユーザ機器は、認可キャリアを介してトリガメッセージを受信するように動作可能であり得る。
【００２８】
ユーザ機器は、無認可キャリアについて実行されたチャネル測定の結果を、認可キャリアを介してセルラーネットワークノードに報告するように動作可能であり得る。
【００２９】
ユーザ機器は、複数の無認可キャリアからアクティブキャリアを選択するために優先順位情報を使用するように動作可能であり得る。
【００３０】
優先順位情報は、無認可キャリアが通信のためにユーザ機器によって使用される順番を定義し得る。
【００３１】
ユーザ機器は、キャリア再選択のために優先順位情報を使用するように動作可能であり得る。
【００３２】
キャリア再選択は、セルラーネットワークノードが不連続送信（ＤＴＸ）モードに入ることを示す、セルラーネットワークノードからのメッセージによってトリガされ得る。
【００３３】
ユーザ機器は、選択されたキャリアに関する情報をセルラー通信ネットワークに送信するように動作可能であり得る。
【００３４】
ユーザ機器は、認可キャリアを介して選択されたキャリアに関する情報を送信するように動作可能であり得る。
【００３５】
セルラーネットワークノードは、複数の無認可キャリアについてセルラーネットワークノードによって実行されたチャネル測定に基づいて、および／またはユーザ機器によって報告された履歴チャネル測定に基づいて、優先順位付け情報を決定し得る。
【００３６】
ユーザ機器は、グループ情報をセルラーネットワークノードから受信するように動作可能であり得、グループ情報は、そのユーザ機器をユーザ機器のグループに割り当てる。ユーザ機器は、セルラー通信ネットワークからのマルチキャストメッセージに応答して、複数の無認可キャリアから選択されたアクティブキャリアを切り替えるように動作可能であり得る。それによってマルチキャストメッセージを使用して実施することができるＬＡＡキャリア切替え手順が実施され得、それによって、シグナリングオーバーヘッドが低減する。
【００３７】
さらなる一実施形態によれば、ユーザ機器は、セルラー通信ネットワークと通信するように動作可能であるワイヤレスインターフェースを備える。ユーザ機器は、セルラーネットワークノードからグループ情報を受信するように動作可能であり、グループ情報は、セルラー通信ネットワークのユーザ機器の少なくとも１つのグループにユーザ機器を割り当てる。ユーザ機器は、ユーザ機器のグループにアクティブキャリアを切り替えるように指示する、セルラー通信ネットワークからのマルチキャストメッセージに応答して、複数の無認可キャリアから選択されたアクティブキャリアを切り替えるように動作可能であり得る。
【００３８】
それによって、例えばキャリアのアクティブ化または非アクティブ化によるキャリア切替えがグループ単位で実施され得る。それによってマルチキャストメッセージを使用して実施することができるＬＡＡキャリア切替え手順が実施され得、それによって、シグナリングオーバーヘッドが低減する。
【００３９】
セルラーネットワークノードは、ユーザ機器によって報告されたチャネル測定に応じて、異なるユーザ機器を１つ以上のグループに割り当て得る。ユーザ機器をグループに割り当てるとき、セルラーネットワークノード自体によって実行されたチャネル測定も考慮され得る。
【００４０】
それによって、ユーザ機器によって検出された実際の干渉に応じて、ユーザ機器がグループに割り当てられ得る。そのような干渉は、他の２次セル（ＳＣｅｌｌ）または非セルラー通信デバイスによって引き起こされる可能性がある。
【００４１】
セルラーネットワークノードからのマルチキャストメッセージに応答して、ユーザ機器は、マルチキャストメッセージに含まれるグループの表示が、ユーザ機器が割り当てられたグループと一致するかどうかを判定し得る。マルチキャストメッセージが、ユーザ機器が割り当てられたグループを示す場合、ユーザ機器は、例えば、別の無認可キャリアに切り替わる、または無認可キャリアの使用を停止するように動作可能であり得る。
【００４２】
一実施形態によるセルラーネットワークノードは、ユーザ機器と通信するためのワイヤレスインターフェースと、ワイヤレスインターフェースに結合され、複数の無認可キャリアに関する優先順位付け情報を少なくとも１つに送信するようにワイヤレスインターフェースを制御するように動作可能な処理デバイスとを備える。
【００４３】
優先順位付け情報は、無認可キャリアの第１の組、および無認可キャリアの第１の組とは異なる無認可キャリアの第２の組を定義し得る。
【００４４】
セルラーネットワークノードは、少なくとも１つのユーザ機器においてトリガイベントを事前構成するように動作可能であり得、トリガイベントは、少なくとも１つのユーザ機器に無認可キャリアの第２の組の少なくとも１つのキャリアについてのチャネル測定の実行を開始させる。
【００４５】
セルラーネットワークノードは、セルラーネットワークノードによって実行されたチャネル測定に基づいて、および／またはユーザ機器によって実行されたチャネル測定に基づいて、無認可キャリアの第１の組、および無認可キャリアの第２の組を定義するように動作可能であり得る。
【００４６】
優先順位付け情報は、ユーザ機器が無認可キャリアを使用すべき順番を定義し得る。セルラーネットワークノードは、セルラーネットワークノードによって実行されたチャネル測定に基づいて、および／またはユーザ機器によって実行されたチャネル測定に基づいて、順番を設定するように動作可能であり得る。
【００４７】
セルラーネットワークノードは、少なくとも１つのユーザ機器をユーザ機器のグループに割り当て、グループのすべてのユーザ機器が別の無認可キャリアに切り替わるようにするために、マルチキャストメッセージを送信するように動作可能であり得る。
【００４８】
さらなる一実施形態によれば、セルラーネットワークノードは、ユーザ機器と通信するためのワイヤレスインターフェースと、ワイヤレスインターフェースに結合された処理デバイスとを備える。処理デバイスは、少なくとも１つのユーザ機器をユーザ機器のグループに割り当てるように動作可能であり得る。セルラーネットワークノードは、グループのすべてのユーザ機器が別の無認可キャリアに切り替わるようにするために、マルチキャストメッセージを送信するように動作可能であり得る。
【００４９】
セルラーネットワークノードは、ユーザ機器によって報告されたチャネル測定に基づいて、および／またはセルラーネットワークノード自体によって実行されたチャネル測定に基づいて、ユーザ機器をグループに割り当てるように動作可能であり得る。
【００５０】
一実施形態によるシステムは、一実施形態によるセルラーネットワークノードと、一実施形態によるユーザ機器とを備える。
【００５１】
一実施形態によるセルラー通信ネットワークのための無認可キャリアを使用する方法は、ユーザ機器によって、セルラーネットワークノードから複数の無認可キャリアの優先順位付け情報を受信することを含む。この方法は、ユーザ機器によって、チャネル測定またはキャリア選択のために優先順位付け情報を使用することを含む。
【００５２】
優先順位付け情報は、無認可キャリアの第１の組、および無認可キャリアの第１の組とは異なる無認可キャリアの第２の組を定義し得る。チャネル測定のために優先順位付け情報を使用することは、無認可キャリアの第１の組の少なくとも１つのキャリアについてチャネル測定を実行し、トリガイベントの検出に応答して、無認可キャリアの第２の組の少なくとも１つのキャリアについてのチャネル測定を開始することを含み得る。
【００５３】
この方法は、一実施形態によるユーザ機器またはシステムによって実行され得る。
【００５４】
この方法では、優先順位付け情報は、ブロードキャストメッセージに含まれ得る。
【００５５】
この方法では、優先順位付け情報は、システム情報ブロックに含まれ得る。システム情報ブロックは、チャネル測定および／またはチャネル切替えについて、いくつかの無認可キャリアのうちのどれがより高い優先順位を有し、いくつかの無認可キャリアのうちのどれがより低い優先順位を有するかを定義し得る。
【００５６】
この方法では、ユーザ機器は、トリガイベントを検出することに応答して、無認可キャリアの第２の組のうちの少なくとも１つのキャリアについてのチャネル測定の報告を開始し得る。
【００５７】
この方法では、ユーザ機器は、トリガイベントが検出される前に、無認可キャリアの第１の組の中の１つ以上の無認可キャリアについてのみチャネル測定を実行し得る。
【００５８】
この方法では、ユーザ機器は、トリガイベントが検出された後に、単独で、または第１の組の中の無認可キャリアについてのチャネル測定と組み合わせて、無認可キャリアの第２の組の中の１つ以上の無認可キャリアについてのチャネル測定を実行し得る。
【００５９】
この方法では、チャネル測定は、受信（ＲＸ）電力、ノイズ、または認可キャリアにおける干渉を示す他のパラメータのうちの１つ以上の測定を含み得る。
【００６０】
この方法では、チャネル測定は、測定が実行される無認可キャリアの競合する非セルラーの使用を識別する測定を含み得る。
【００６１】
この方法では、ユーザ機器は、セルラーネットワークノードによってユーザ機器においてトリガイベントが構成されるように動作可能であり得る。
【００６２】
この方法では、トリガイベントは、無認可キャリアの第１の組の特性に依存し得る。
【００６３】
この方法では、トリガイベントは、通信に利用可能な無認可キャリアの第１の組の中のキャリアの数の閾値比較を含み得る。トリガイベントを検出するために、ユーザ機器は、無認可キャリアの第１の組の中のアクティブキャリアの数を閾値と比較し、無認可キャリアの第１の組の中のアクティブキャリアの数が閾値に達する、または閾値を下回るとき、第２の組のキャリアについてのチャネル測定の実行を開始し得る。トリガイベントを検出するために、ユーザ機器は、干渉がない、または低干渉にすぎない無認可キャリアの第１の組の中のキャリアの数を識別し、このキャリアの数を閾値と比較し、無認可キャリアの第１の組の中のアクティブキャリアの数が閾値に達する、または閾値を下回るとき、第２の組のキャリアについてのチャネル測定の実行を開始し得る。
【００６４】
この方法では、トリガイベントは、トリガメッセージの受信を含み得る。
【００６５】
この方法では、トリガメッセージは、セルラーネットワークノードからのマルチキャストまたはブロードキャストメッセージであり得る。
【００６６】
この方法では、ユーザ機器は、認可キャリアを介してトリガメッセージを受信し得る。
【００６７】
この方法では、トリガイベントは、セルラーネットワークノードによって少なくとも１つのユーザ機器において事前構成され得る。
【００６８】
この方法では、ユーザ機器は、無認可キャリアについて実行されたチャネル測定の結果を、認可キャリアを介してセルラーネットワークノードに報告し得る。
【００６９】
この方法では、ユーザ機器は、複数の無認可キャリアからアクティブキャリアを選択するために優先順位情報を使用し得る。
【００７０】
この方法では、優先順位情報は、無認可キャリアが通信のためにユーザ機器によって使用される順番を定義し得る。
【００７１】
この方法では、ユーザ機器は、キャリア再選択のために優先順位情報を使用し得る。
【００７２】
キャリア再選択は、セルラーネットワークノードが不連続送信（ＤＴＸ）モードに入ることを示す、セルラーネットワークノードからのメッセージによってトリガされ得る。
【００７３】
この方法では、ユーザ機器は、選択されたキャリアに関する情報をセルラー通信ネットワークに送信し得る。
【００７４】
この方法では、ユーザ機器は、選択されたキャリアに関する情報を認可キャリアを介して送信し得る。
【００７５】
この方法では、セルラーネットワークノードは、複数の無認可キャリアについてセルラーネットワークノードによって実行されたチャネル測定に基づいて、および／またはユーザ機器によって報告された履歴チャネル測定に基づいて、優先順位付け情報を決定し得る。
【００７６】
この方法では、ユーザ機器は、グループ情報をセルラーネットワークノードから受信し得、グループ情報は、そのユーザ機器をユーザ機器のグループに割り当てる。ユーザ機器は、セルラー通信ネットワークからのマルチキャストメッセージに応答して、複数の無認可キャリアから選択されたアクティブキャリアを切り替え得る。それによってマルチキャストメッセージを使用して実施することができるＬＡＡキャリア切替え手順が実施され得、それによって、シグナリングオーバーヘッドが低減する。
【００７７】
この方法は、セルラーネットワークノードによって、ユーザ機器および／またはセルラーネットワークノードによって実行されたチャネル測定に基づいて、そのユーザ機器をユーザ機器のグループに割り当てることを含み得る。
【００７８】
さらなる実施形態によれば、この方法は、ユーザ機器によって、セルラーネットワークノードからグループ情報を受信することを含み、グループ情報は、セルラー通信ネットワークのユーザ機器の少なくとも１つのグループにユーザ機器を割り当てる。この方法は、ユーザ機器によって、ユーザ機器のグループにアクティブキャリアを切り替えるように指示する、セルラー通信ネットワークからのマルチキャストメッセージに応答して、複数の無認可キャリアから選択されたアクティブキャリアを切り替えることを含み得る。
【００７９】
それによって、例えばキャリアのアクティブ化または非アクティブ化によるキャリア切替えがグループ単位で実施され得る。それによってマルチキャストメッセージを使用して実施することができるＬＡＡキャリア切替え手順が実施され得、それによって、シグナリングオーバーヘッドが低減する。
【００８０】
この方法では、セルラーネットワークノードは、ユーザ機器によって報告されたチャネル測定に応じて、異なるユーザ機器を１つ以上のグループに割り当て得る。ユーザ機器をグループに割り当てるとき、セルラーネットワークノード自体によって実行されたチャネル測定も考慮され得る。
【００８１】
この方法では、それによって、ユーザ機器によって検出された実際の干渉に応じて、ユーザ機器がグループに割り当てられ得る。そのような干渉は、他の２次セル（ＳＣｅｌｌ）または非セルラー通信デバイスによって引き起こされる可能性がある。
【００８２】
この方法は、ユーザ機器によって、マルチキャストメッセージに含まれるグループの表示が、ユーザ機器が割り当てられたグループと一致するかどうかを判定することを含み得る。マルチキャストメッセージが、ユーザ機器が割り当てられたグループを示す場合、ユーザ機器は、例えば、別の無認可キャリアに切り替わる、または無認可キャリアの使用を停止するように動作可能であり得る。
【００８３】
セルラーネットワークノードは、ｅＮｏｄｅＢであってもよい。
【００８４】
実施形態によるデバイス、システム、および方法では、無認可周波数帯域は、セルラー通信ネットワークのいかなる事業者にも認可されていない無線スペクトルの一部であり得る。
【００８５】
実施形態によるデバイス、システム、および方法では、無認可周波数帯域は、５ＧＨｚ帯域であり得る、または５ＧＨｚ帯域の少なくとも１つのサブバンドを含み得る。
【００８６】
実施形態によるデバイス、システム、および方法は、ＬＡＡのシグナリングオーバーヘッド問題を軽減する。また、実施形態によるデバイス、システム、および方法は、無認可キャリアが優先順位を付けられることを可能にし、それによって、同時に処理されなければならない無認可キャリアの数が低減する。実施形態によるデバイス、システム、および方法は、ＬＡＡがグループ単位で実施されることを可能にする。それによって、複雑さが低減し得る。
【図面の簡単な説明】
【００８７】
同じまたは類似の参照番号が同じまたは類似の要素を示す添付の図面を参照しながら、本発明の実施形態について説明する。
【００８８】
【図１】一実施形態による通信システムの概略図である。
【図２】一実施形態による通信システムのブロック図である。
【図３】一実施形態による方法およびシステムにおける無認可キャリアの利用を示す図である。
【図４】一実施形態による方法およびシステムにおける無認可キャリアの利用を示す図である。
【図５】一実施形態による方法のフローチャートである。
【図６】一実施形態による方法のフローチャートである。
【図７】実施形態によるデバイスのシグナリング図である。
【図８】実施形態によるデバイスのシグナリング図である。
【図９】一実施形態による方法のフローチャートである。
【図１０】実施形態によるデバイスのシグナリング図である。
【図１１】実施形態によるデバイスのシグナリング図である。
【図１２】一実施形態による方法のフローチャートである。
【図１３】実施形態によるデバイスのシグナリング図である。
【図１４】グループ単位のＬＡＡを実施するための情報要素を示す図である。
【図１５】一実施形態による方法のフローチャートである。
【図１６】一実施形態による方法のフローチャートである。
【発明を実施するための形態】
【００８９】
図面を参照しながら、本発明の例示的な実施形態について説明する。例えばいくつかのスペクトル範囲および通信技術の文脈など、特定の適用分野の文脈でいくつかの実施形態について説明するが、実施形態は、この適用分野に限定されない。特に明記されない限り、様々な実施形態の特徴が互いに組み合わされてもよい。
【００９０】
図１は、一実施形態による通信システム１の概略図である。通信システム１は、ＬＴＥ（Long  Term  Evolution）無認可（ＬＴＥ−Ｕ）周波数帯域における送信が使用され得る様々な可能な例示的シナリオのうちの１つを示す。セルラー通信ネットワークは、基地局２を有する無線アクセスネットワーク（ＲＡＮ）を有する。基地局２はマクロセル３にサービスを提供し得る。１つ以上のより小さい事業者展開セル１１、１３が存在し得る。セル１１、１３は、スモールセルまたは２次セル（ＳＣｅｌｌ）であり得る。ｅＮｏｄｅＢ１０、１２は、セル１１、１３にサービスを提供するために、セルラー通信ネットワークの事業者によって配備され得る。セルラー通信ネットワークのセル１１、１３は、セルラー通信ネットワークの事業者に認可された認可周波数帯域と、無認可周波数地域の両方において、ＬＴＥトラフィックデータの送信をサポートし得る。無認可周波数帯域は、ＬＴＥ−Ｕ周波数帯域であり得る。
【００９１】
無認可キャリア上での送信に使用され得る無認可周波数帯域は、いかなるセルラーネットワーク事業者にも認可されていない周波数帯域であり得る。無認可周波数帯域は、例えば、５ＧＨｚ帯域の少なくともいくつかのサブバンドを含み得る。無認可周波数帯域は、５ＧＨｚ帯域のサブバンドである５１５０ＭＨｚから５３５０ＭＨｚまでの周波数帯域を含み得る。代替または追加として、無認可周波数帯域は、５ＧＨｚ帯域の別のサブバンドである５１５０ＭＨｚから５２５０ＭＨｚまでの周波数帯域を含み得る。代替または追加として、無認可周波数帯域は、５ＧＨｚ帯域の別のサブバンドである５２５０ＭＨｚから５３５０ＭＨｚまでの周波数帯域を含み得る。代替または追加として、無認可周波数帯域は、５ＧＨｚ帯域の別のサブバンドである５４７０ＭＨｚから５７２５ＭＨｚまでの周波数帯域を含み得る。
【００９２】
容量を増大させるために、無認可スペクトルを認可キャリアに集約するために、様々な配備オプションのうちのいずれかが使用され得る。補足ダウンリンク（ＳＤＬ）動作モードでは、大量トラフィックのダウンリンクにおいて容量を増大させ、データレートを増加させるために、無認可スペクトルは、ダウンリンクにのみ利用され得る。キャリアアグリゲーション（ＣＡ）動作モードは、ダウンリンクとアップリンクの両方で無認可スペクトルの使用を可能にする。ＣＡモードは、アップリンクまたはダウンリンクに割り振ることができる無認可スペクトルリソースの量が調整されるのを可能にする。
【００９３】
図１は、ＳＤＬ動作モードを例示的に示す。ダウンリンク（ＤＬ）およびアップリンク（ＵＬ）制御シグナリングおよびデータトラフィックは、無線信号２５によって認可キャリア周波数で送信され得る。少なくともＤＬトラフィックは、ｅＮｏｄｅＢ１０から無認可キャリアにおいて無線信号２６でセルラーネットワークのユーザ機器２１に送信され得る。無線信号２６は、ＬＴＥ−Ｕ周波数帯域内の周波数を有し得る。
【００９４】
無認可周波数帯域へのデータトラフィックのオフロードは、セル１１内のユーザ機器のいくつかのみに対して選択的に実行され得る。説明のために、ｅＮｏｄｅＢ１０は、ユーザ機器２１へのＤＬトラフィックのためのＬＴＥ−Ｕデータ送信を実行し得るが、別のユーザ機器２２についてのＬＴＥ−Ｕオフロードを実行しない可能性がある。
【００９５】
また、無認可周波数帯域は、セルラーネットワーク事業者の制御下にない１つ以上のデバイス２３、２４によって共用され得る。そのようなデバイス２３、２４の例には、Ｗｉ−ＦｉデバイスまたはＷＬＡＮアクセスポイントがある。ＬＴＥ−Ｕデータ送信のために使用されることが意図される無認可周波数帯域において送信するように動作可能であるそのようなデバイス２３、２４の存在は、干渉の問題を引き起こす可能性がある。説明のために、ｅＮｏｄｅＢは、デバイス２３、２４のうちの１つ以上によって使用される無線リソースで送信することはできない。デバイス２３、２４間の送信２７は、無認可周波数帯域内の周波数を有し得、例えば、ＬＴＥ−Ｕデータ送信への干渉をもたらす傾向がある。
【００９６】
追加または代替として、無認可周波数帯域は、ユーザ機器２８、２９が位置する別のセル１３によって共用されてもよい。
【００９７】
以下でより詳細に説明するように、ユーザ機器は、ユーザ機器によって実行されたチャネル測定に従ってグループ化され得る。ｅＮｏｄｅＢによって実行されたチャネル測定も、随意に考慮されてもよい。それによって、マルチキャストメッセージによって実施され得るグループ単位の制御を実施するために、類似または同一の無認可キャリアにおける干渉を経験しているユーザ機器がグループ化され得る。グループ化は、ユーザ機器の位置のみに基づくのではなく、実際に測定された干渉に基づく。
【００９８】
ユーザ機器およびセルラーネットワークノードは、チャネル測定が少なくともいくつかの無認可キャリアのために遅延されるように動作可能であり得る。ｅＮｏｄｅＢまたは別のセルラーネットワークノードは、無認可キャリアを異なる組に編成し得る。説明のために、より優先順位の高い無認可キャリアを含む第１の組と、より優先順位の低い無認可キャリアを含む第２の組とが定義され得る。セルラーネットワークノードは、セルラーネットワークノード自体によって測定された干渉に基づいて、または、ユーザ機器の履歴干渉測定に基づいて、他の無認可キャリアよりも干渉問題を起こしにくいために、第１の組に含まれるべき無認可キャリアを決定し得る。ユーザ機器は、トリガイベントが行われるまで、チャネル測定を、第１の組の中の無認可キャリアに制限し得る。トリガイベントに応答して、ユーザ機器は、第２の組の中の１つ以上の無認可キャリアについてのチャネル測定の実行を開始し得る。シグナリングオーバーヘッドは小さく保たれ、ｅＮｏｄｅＢによって処理されなければならない無認可キャリアの数は中程度に保たれる。
【００９９】
チャネル測定は、ＲＸ電力、ノイズ測定、または別のＳＣｅｌｌもしくは非セルラーデバイスによる無認可キャリアの使用量を定量化する他の測定のうちの任意の１つまたは任意の組合せを含み得る。
【０１００】
ユーザ機器およびセルラーネットワークノードは、ユーザ機器が別の無認可キャリアに自律的に切り替わり得るように動作可能であり得る。これによって、小さいシグナリングオーバーヘッドで切替えを実施することができる。
【０１０１】
図２は、一実施形態による通信システム１の図である。通信システム１は、一実施形態によるユーザ機器２１と、一実施形態によるｅＮｏｄｅＢ１０として構成されたセルラーネットワークノードとを備える。
【０１０２】
ユーザ機器２１は、ワイヤレスインターフェース３０を備える。ワイヤレスインターフェース３０は、ｅＵＴＲＡエアインターフェースを介してデータを送信および受信するように動作可能であり得る。ワイヤレスインターフェース３０は、認可帯域内の周波数を有する信号用の送信回路３３および受信回路３４を備え得る。
【０１０３】
ワイヤレスインターフェース３０は、ＬＴＥ−Ｕ送信機３１を備え得る。ＬＴＥ−Ｕ送信機３１は、無認可キャリア上で信号を送信するように動作可能である。ＬＴＥ−Ｕ送信機３１は、トラフィックまたは制御データを送信するためにいかなるセルラーネットワーク事業者にも認可されていないＬＴＥ−Ｕ周波数帯域からの無線リソースを使用するように動作可能であり得る。ＬＴＥ−Ｕ送信機３１は、いかなるセルラーネットワーク事業者にも認可されていない周波数帯域内の周波数を有する無線信号を生成するために変調を実行するように動作可能であり得る。図２では、ＬＴＥ−Ｕ送信機３１は、別個のブロックとして示されているが、ＬＴＥ−Ｕ送信機３１と認可帯域送信機３３とが一体的に形成されてもよい。ＬＴＥ−Ｕ送信機３１および認可帯域送信機３３は、少なくともいくつかの信号処理回路を共有し得る。図２では、ＬＴＥ−Ｕ受信機３２は、別個のブロックとして示されているが、ＬＴＥ−Ｕ受信機３２と認可帯域受信機３４とが一体的に形成されてもよい。ＬＴＥ−Ｕ受信機３２および認可帯域受信機３４は、少なくともいくつかの信号処理回路を共有し得る。
【０１０４】
ワイヤレスインターフェース３０は、ＬＴＥ−Ｕ受信機３２を備え得る。ＬＴＥ−Ｕ受信機３２は、無認可キャリアの周波数を有する信号の復調を実行するように動作可能であり得る。ＬＴＥ−Ｕ受信機３２は、いかなるセルラーネットワーク事業者にも認可されていない周波数帯域内の周波数を有する無線信号を復調するように動作可能であり得る。
【０１０５】
ユーザ機器２１は、処理デバイス３５を有し得る。処理デバイス３５は、少なくとも１つの集積回路を備え得る。処理デバイス３５は、コントローラ、マイクロコントローラ、プロセッサ、マイクロプロセッサ、特定用途向け集積回路（ＡＳＩＣ）、またはそれらの組合せを備え得る。処理デバイス３５は、ＬＴＥ−Ｕ受信機３２を介して、他の通信デバイスが無認可スペクトル内の無線リソースを使用するかどうかを監視するように動作可能であり得る。処理デバイス３５は、他のデバイスが１つ以上の無認可キャリアを使用する程度を定量化するために、ＲＸ電力、ノイズ、または他の測定などのチャネル測定を実行するように動作可能であり得る。
【０１０６】
処理デバイス３５は、ｅＮｏｄｅＢから受信された優先順位付け情報を処理するように動作可能であり得る。処理デバイス３５は、認可キャリアを介して受信された優先順位付け情報を処理するように動作可能であり得る。優先順位付け情報は、ｅＮｏｄｅＢ１０によって送信されるシステム情報ブロック（ＳＩＢ）に含まれていてもよい。
【０１０７】
処理デバイス３５は、認可帯域受信機３４によって受信されたＳＩＢから、無認可キャリアの構成を取り出すように動作可能であり得る。この構成は、複数の無認可キャリアのキャリア周波数に関する情報を含み得る。
【０１０８】
処理デバイス３５は、同じＳＩＢまたは別のＳＩＢから優先順位付け情報を取り出すように動作可能であり得る。優先順位付け情報は、ユーザ機器２１によって静的または半静的情報として使用され得る。ユーザ機器２１は、優先順位付け情報を記憶し得る。
【０１０９】
優先順位付け情報は、様々なフォーマットのうちのいずれか１つを有し得る。優先順位付け情報は、無認可キャリアの第１の組および第２の組を定義し得る。随意に、無認可キャリアの追加の組が定義されてもよい。優先順位付け情報は、複数のキャリアの各々について、キャリアが第１の組に含まれているか、第２の組に含まれているかを定義し得る。これは、例えば、複数の無認可キャリアの各々についてキャリアごとに組を示すことによって、またはそれぞれの無認可キャリアが割り当てられている組に応じてキャリア識別子をグループ化することによってなど、様々な方法で行われ得る。
【０１１０】
ユーザ機器２１の動作中、処理デバイス３５は、遅延したチャネル測定に優先順位付け情報を使用し得る。ユーザ機器２１は、トリガイベントが検出されるまで、例えばＲＸ電力またはノイズ測定などのチャネル測定を、無認可キャリアの第１の組の中の無認可キャリアに制限し得る。トリガイベントに応答して、処理デバイス３５は、無認可キャリアの第２の組の中の１つ以上の無認可キャリアについてのチャネル測定を実行し得る。
【０１１１】
トリガイベントは、事前構成されていてもよい。トリガイベントは、ｅＮｏｄｅＢ１０によって構成されてもよい。トリガイベントは、例えば、マルチキャストメッセージでｅＮｏｄｅＢ１０によって構成されてもよい。異なるトリガイベントが使用され得る。説明のために、トリガイベントは、ある無認可キャリアが、ｅＮｏｄｅＢ１０によって構成、構成解除、アクティブ化、または非アクティブ化されるものであってもよい。
【０１１２】
トリガイベントは、第１の組の中のアクティブな無認可キャリアの数が閾値未満であるものであってもよい。閾値は、ｅＮｏｄｅＢ１０によって構成されてもよい。
【０１１３】
トリガイベントは、第１のリスト内の無認可キャリアの数が閾値未満であり、および／または別のＳＣｅｌｌもしくは非セルラーデバイスからの干渉が検出されない第１のリスト内の無認可キャリアの数が閾値未満であるものであってあってもよい。閾値は、ｅＮｏｄｅＢ１０によって構成されてもよい。
【０１１４】
トリガイベントは、ｅＮｏｄｅＢ１０からのトリガメッセージの受信であり得る。トリガメッセージは、ｅＮｏｄｅＢ１０がユーザ機器２１を割り当てたグループのグループ識別子を示すマルチキャストまたはブロードキャストメッセージであり得る。
【０１１５】
遅延したチャネル測定についての無認可キャリアの異なる組を定義する代わりに、またはそれに加えて、優先順位付け情報は、無認可キャリアがユーザ機器２１によって使用されるべき順番を定義し得る。ユーザ機器２１は、優先順位付け情報に従って無認可キャリアを切り替え得る。ユーザ機器２１は、キャリア切替えを自律的に実行し得る。ユーザ機器２１は、ｅＮｏｄｅＢ１０から事前の許可を得ることなく、キャリア切替えを実行し得る。どの無認可キャリアを使用するかの決定は、優先順位付け情報に従って処理デバイス３５によって行われ得る。
【０１１６】
ユーザ機器２１は、例えば、キャリアの構成情報とともに、または別のＳＩＢで、無認可キャリアが使用されるべき順番を定義する優先順位付け情報を受信し得る。ユーザ機器２１は、認可キャリアを介して、無認可キャリアが使用されるべき順番を定義する優先順位付け情報を受信し得る。
【０１１７】
処理デバイス３５は、例えば、新しいアクティブな無認可キャリアを使用することによって、ユーザ機器２１が無認可キャリアを自律的に切り替えたことを示す情報をｅＮｏｄｅＢ１０に送信するようにユーザ機器２１を制御し得る。処理デバイス３５は、この情報をｅＮｏｄｅＢ１０に送信するように認可帯域送信機３３を制御し得る。
【０１１８】
説明のために、現在アクティブな無認可キャリアが、ある期間の間、ある閾値を超える干渉を経験することを、処理デバイス３５が検出すると、ユーザ機器２１は、優先順位付け情報に従って次の無認可キャリアに自律的に切り替わり得る。ユーザ機器２１は、アップリンクで認可キャリアにおいて情報を送信することによって、キャリア切替えをｅＮｏｄｅＢ１０に通知し得る。
【０１１９】
さらなる例示のために、ｅＮｏｄｅＢ１０がある無認可キャリアにおいてＤＴＸ状態に入ることを望むとき、ｅＮｏｄｅＢ１０は、ＵＥ２１に通知する。ＵＥ２１は、優先順位付け情報に従って次の無認可キャリアに切り替わる。
【０１２０】
優先順位付け情報が遅延したチャネル測定に使用されるか、ならびに／あるいはキャリア切替えおよび／または他の目的のために使用されるかにかかわらず、ユーザ機器２１は、更新された優先順位付け情報を受信し得る。ｅＮｏｄｅＢ１０は、ユーザ機器２１および／またはｅＮｏｄｅＢ１０によって実行されたチャネル測定に基づいて、無認可キャリアの優先順位を更新し得る。更新された優先順位付け情報は、認可キャリアを介してユーザ機器２１によって受信され得る。
【０１２１】
ｅＮｏｄｅＢ１０は、ワイヤレスインターフェース４０を備える。ワイヤレスインターフェース４０は、ｅＵＴＲＡエアインターフェースを介してデータを送信および受信するように動作可能であり得る。ワイヤレスインターフェース４０は、認可帯域内の周波数を有する信号用の送信回路４３および受信回路４４を備え得る。
【０１２２】
ワイヤレスインターフェース４０は、ＬＴＥ−Ｕ送信機４１を備え得る。ＬＴＥ−Ｕ送信機４１は、無認可キャリア上で信号を送信するように動作可能である。ＬＴＥ−Ｕ送信機４１は、トラフィックまたは制御データを送信するためにいかなるセルラーネットワーク事業者にも認可されていないＬＴＥ−Ｕ周波数帯域からの無線リソースを使用するように動作可能であり得る。ＬＴＥ−Ｕ送信機４１は、いかなるセルラーネットワーク事業者にも認可されていない周波数帯域内の周波数を有する無線信号を生成するために変調を実行するように動作可能であり得る。図２では、ＬＴＥ−Ｕ送信機４１は、別個のブロックとして示されているが、ＬＴＥ−Ｕ送信機４１と認可帯域送信機４３とが一体的に形成されてもよい。ＬＴＥ−Ｕ送信機４１および認可帯域送信機４３は、少なくともいくつかの信号処理回路を共有し得る。図２では、ＬＴＥ−Ｕ受信機４２は、別個のブロックとして示されているが、ＬＴＥ−Ｕ受信機４２と認可帯域受信機４４とが一体的に形成されてもよい。ＬＴＥ−Ｕ受信機４２および認可帯域受信機４４は、少なくともいくつかの信号処理回路を共有し得る。
【０１２３】
ワイヤレスインターフェース４０は、ＬＴＥ−Ｕ受信機４２を備え得る。ＬＴＥ−Ｕ受信機４２は、無認可キャリアの周波数を有する信号の復調を実行するように動作可能であり得る。ＬＴＥ−Ｕ受信機４２は、いかなるセルラーネットワーク事業者にも認可されていない周波数帯域内の周波数を有する無線信号を復調するように動作可能であり得る。
【０１２４】
ｅＮｏｄｅＢ１０は、処理デバイス４５を有し得る。処理デバイス４５は、少なくとも１つの集積回路を備え得る。処理デバイス４５は、コントローラ、マイクロコントローラ、プロセッサ、マイクロプロセッサ、特定用途向け集積回路（ＡＳＩＣ）、またはいくつかのそのような集積回路の組合せを備え得る。処理デバイス４５は、ＬＴＥ−Ｕ受信機４２を介して、他の通信デバイスが無認可スペクトル内の無線リソースを使用するかどうかを監視するように動作可能であり得る。処理デバイス４５は、他のデバイスが１つ以上の無認可キャリアを使用する程度を定量化するために、ＲＸ電力、ノイズ、または他の測定などのチャネル測定を実行するように動作可能であり得る。
【０１２５】
処理デバイス４５は、１つ以上のユーザ機器への送信のための優先順位付け情報を生成するように動作可能であり得る。処理デバイス４５は、ＬＴＥ−Ｕ受信機４２を介してｅＮｏｄｅＢ１０によって実行される無認可帯域キャリアについてのチャネル測定に基づいて優先順位付け情報を生成するように動作可能であり得る。
【０１２６】
処理デバイス４５は、１つ以上のユーザ機器によって無認可キャリアについて実行されたチャネル測定に基づいて優先順位付け情報を生成するように動作可能であり得る。チャネル測定結果は、ユーザ機器から認可キャリアを介してｅＮｏｄｅＢ１０で受信され得る。説明のために、処理デバイス４５は、ｅＮｏｄｅＢ１０および／またはユーザ機器が経時的に低干渉を検出した無認可キャリアを、より高い優先順位を有するように識別し得る。処理デバイス４５は、ｅＮｏｄｅＢ１０および／またはユーザ機器が経時的に低干渉を検出した無認可キャリアを、より低い優先順位を有するように識別し得る。干渉は、他のＳＣｅｌｌまたは非セルラーデバイスから来る可能性がある。
【０１２７】
処理デバイス４５は、異なるユーザ機器について無認可キャリアの異なる優先順位を決定し得る。説明のために、いくつかの無認可キャリアについてのかなりの干渉を報告したユーザ機器のグループについて、これらの無認可キャリアの優先順位は、処理デバイス４５によって低く設定され得る。同じ無認可キャリアにおける干渉がそれほど高くないユーザ機器の別のグループについて、ｅＮｏｄｅＢ１０は、これらの同じ無認可キャリアにより高い優先順位を割り当て得る。
【０１２８】
ｅＮｏｄｅＢ１０は、認可キャリアを介して優先順位付け情報を送信するように動作可能であり得る。優先順位付け情報は、ｅＮｏｄｅＢ１０によって送信されるシステム情報ブロック（ＳＩＢ）に含まれていてもよい。ｅＮｏｄｅＢ１０はさらに、無認可キャリアの構成に関する情報を送信し得る。構成情報は、複数の無認可キャリアのキャリア周波数に関する情報を含み得る。処理デバイス４５は、キャリアの構成が定義されている同じＳＩＢで優先順位付け情報を送信するように動作可能であり得る。処理デバイス４５は、無認可キャリアの構成が定義されているものとは別のＳＩＢで優先順位付け情報を送信するように動作可能であり得る。優先順位付け情報は、静的または半静的情報変数であり得る。
【０１２９】
ｅＮｏｄｅＢ１０によって生成され、送信される優先順位付け情報は、様々なフォーマットのうちのいずれか１つを有し得る。優先順位付け情報は、無認可キャリアの第１の組および第２の組を定義するように、ｅＮｏｄｅＢ１０によって生成され得る。随意に、無認可キャリアの追加の組が定義されてもよい。優先順位付け情報は、複数のキャリアの各々について、キャリアが第１の組に含まれているか、第２の組に含まれているかを定義するように、ｅＮｏｄｅＢ１０によって生成され得る。これは、例えば、複数の無認可キャリアの各々についてキャリアごとに組を示すことによって、またはそれぞれの無認可キャリアが割り当てられている組に応じてキャリア識別子をグループ化することによってなど、様々な方法で行われ得る。
【０１３０】
ｅＮｏｄｅＢ１０は、少なくとも１つのユーザ機器２１においてトリガイベントを事前構成するように構成されてもよい。トリガイベントは、例えば、マルチキャストメッセージでｅＮｏｄｅＢ１０によって構成されてもよい。異なるトリガイベントが使用され得る。説明のために、トリガイベントは、ある無認可キャリアが、ｅＮｏｄｅＢ１０によって構成、構成解除、アクティブ化、または非アクティブ化されるものであってもよい。
【０１３１】
トリガイベントは、第１の組の中のアクティブな無認可キャリアの数が閾値未満であるものであってもよい。閾値は、ｅＮｏｄｅＢ１０によって構成されてもよい。
【０１３２】
トリガイベントは、第１のリスト内の無認可キャリアの数が閾値未満であり、および／または別のＳＣｅｌｌもしくは非セルラーデバイスからの干渉が検出されない第１のリスト内の無認可キャリアの数が閾値未満であるものであってもよい。閾値は、ｅＮｏｄｅＢ１０によって構成されてもよい。
【０１３３】
トリガイベントは、ｅＮｏｄｅＢ１０からのトリガメッセージの受信であり得る。トリガメッセージは、ｅＮｏｄｅＢ１０がユーザ機器２１を割り当てたグループのグループ識別子を示すマルチキャストまたはブロードキャストメッセージであり得る。次いで、ｅＮｏｄｅＢ１０は、ｅＮｏｄｅＢがユーザ機器２１に低優先順位キャリアについてのチャネル測定の実行を開始しようとするとき、トリガメッセージを送信するように動作可能であり得る。
【０１３４】
遅延したチャネル測定についての無認可キャリアの異なる組を定義する代わりに、またはそれに加えて、優先順位付け情報は、無認可キャリアがユーザ機器２１によって使用されるべき順番を定義し得る。
【０１３５】
ｅＮｏｄｅＢ１０は、無認可キャリアが使用されるべき順番を定義するように、優先順位付け情報を生成し得る。ｅＮｏｄｅＢ１０は、例えば、キャリアの構成情報とともに、または別のＳＩＢで、優先順位付け情報を送信し得る。ｅＮｏｄｅＢ１０は、認可キャリアを介して、無認可キャリアが使用されるべき順番を定義する優先順位付け情報を送信し得る。
【０１３６】
ｅＮｏｄｅＢ１０は、例えば、新しいアクティブな無認可キャリアを使用することによって、ユーザ機器２１が無認可キャリアを自律的に切り替えたことを示す情報を認可帯域を介して受信するように動作可能であり得る。説明のために、ユーザ機器２１は、使用されている無認可キャリアについての干渉を経験したとき、ユーザ機器２１は、優先順位付け情報に従って次の無認可キャリアに自律的に切り替わり、アップリンクにおいて認可キャリアで情報を送信することによって、ｅＮｏｄｅＢ１０にキャリア切替えを通知し得る。ｅＮｏｄｅＢ１０は、それに応じてＬＴＥ−Ｕ受信機４２で受信された信号の処理を調整し得る。
【０１３７】
さらなる例示のために、ｅＮｏｄｅＢ１０がある無認可キャリアにおいてＤＴＸ状態に入ることを望むとき、ｅＮｏｄｅＢ１０は、それをＵＥ２１に通知する。ｅＮｏｄｅＢ１０は、ｅＮｏｄｅＢ１０がある無認可キャリアにおいてＤＴＸ状態に入ることを望んでいることを示すために、信号を、認可キャリア上で送信し得る。
【０１３８】
優先順位付け情報が遅延したチャネル測定に使用されるか、ならびに／あるいはキャリア切替えのために、および／または他の目的のために使用されるかにかかわらず、ｅＮｏｄｅＢ１０は、無認可キャリアについてｅＮｏｄｅＢ１０自体によって実行されたチャネル測定、および／またはユーザ機器によって報告されたチャネル測定を処理し得る。チャネル測定は、優先順位付け情報が更新されるべきかどうかを決定するために、処理デバイス４５によって処理され得る。更新された優先順位付け情報は、例えば、ＳＩＢでブロードキャストされ得る。
【０１３９】
ｅＮｏｄｅＢ１０の処理デバイス４５は、追加の機能を実行し得る。説明のために、また、本明細書でより詳細に説明するように、処理デバイス４５は、ユーザ機器を異なるグループに割り当て得る。ＬＡＡは、グループ単位で実施され得る。ユーザ機器を異なるグループに割り当てることは、異なる無認可キャリアについてユーザ機器によって報告されたチャネル測定に基づいて実行され得る。同じ無認可キャリアにおいて干渉を検出するユーザ機器が同じグループに割り当てられ得る。したがって、グループ化は、ユーザ機器の位置とは無関係に、チャネル測定に基づき得る。
【０１４０】
ｅＮｏｄｅＢ１０は、グループ単位でＬＡＡを実施するためにマルチキャストメッセージを使用し得る。説明のために、無認可キャリア間の所望のキャリア切替えを示すマルチキャストメッセージは、グループ識別子を示し得る。このグループ識別子を有するグループに属するすべてのユーザ機器は、マルチキャストメッセージに従ってキャリアを切り替え得る。類似のグループ単位の制御は、ｅＮｏｄｅＢ１０の制御下での無認可キャリアのアクティブ化、非アクティブ化、構成、および構成解除のために使用され得る。
【０１４１】
図３は、ユーザ機器およびｅＮｏｄｅＢが、セルラーネットワーク事業者に認可されたキャリア５１、および無認可キャリア５３〜５７の無線リソースを使用し得るシナリオを示す。無認可キャリア５３〜５７は、ＬＴＥ−Ｕ周波数帯域５２にあり得る。
【０１４２】
認可キャリア５１は、ＤＬおよびＵＬ制御シグナリングおよびデータ送信５６に使用され得る。無認可キャリア５３〜５７は、少なくともＤＬデータトラフィックのために使用され得る。ＤＬデータトラフィックは、必要に応じて２次キャリアにオフロードされ得る。無認可帯域５２内の無線信号５９は、少なくともダウンリンクにおいて送信され得る。
【０１４３】
図４は、例えば、ＬＴＥ−Ｕ周波数帯域５２内のキャリアなど、ＬＴＥ−Ｕデータ送信のための無線リソースが少なくともＵＬおよびＤＬ  ＬＴＥデータトラフィックに使用され得るシナリオを示す。ＵＬおよびＤＬデータトラフィックは、必要に応じて２次キャリアにオフロードされ得る。無認可帯域５２内のスペクトルは、時分割複信（ＴＤＤ）で動作され得る。
【０１４４】
複数の無認可キャリア５３〜５７は、ｅＮｏｄｅＢ１０によって優先順位が付けられ得る。説明のために、無認可キャリアの第１の組６８は、ユーザ機器および／またはｅＮｏｄｅＢ１０によって検出された干渉が閾値未満である無認可キャリア５３、５４を含み得る。無認可キャリアの第２の組６９は、過去にユーザ機器および／またはｅＮｏｄｅＢ１０によって検出された干渉が、少なくともある期間の間、閾値を超える無認可キャリア５５〜５７を含み得る。
【０１４５】
無認可キャリア５３〜５７の優先順位は、ユーザ機器２１が異なる無認可キャリア間で自律的に切り替わるときに、無認可キャリアがユーザ機器２１によって使用されるべき順番も定義し得る。
【０１４６】
図５は、一実施形態による方法６０のフローチャートである。方法６０は、一実施形態に従ってユーザ機器によって実行され得る。
【０１４７】
６１において、ユーザ機器は、複数の無認可キャリアの優先順位付け情報を受信する。優先順位付け情報は、ＳＩＢに含まれ得る。優先順位付け情報は、セルラーネットワーク事業者に認可された認可キャリア上で受信され得る。
【０１４８】
６２において、ユーザ機器は、ＬＡＡのために優先順位付け情報を使用する。ユーザ機器は、ＬＡＡチャネル測定のために優先順位付け情報を使用し得る。ＬＡＡは、認可キャリア上でｅＮｏｄｅＢによって、チャネル測定がイベントトリガ方法で開始される１つ以上の無認可キャリアを定義するために使用され得る。
【０１４９】
代替または追加として、ユーザ機器は、無認可キャリア切替えのために優先順位付け情報を使用し得る。ＬＡＡは、認可キャリアを介してｅＮｏｄｅＢによって、無認可キャリアが使用されるべき順序を定義するために使用され得る。
【０１５０】
図６は、一実施形態による方法７０のフローチャートである。方法７０は、一実施形態に従ってユーザ機器によって実行され得る。
【０１５１】
７１において、ユーザ機器は、どの無認可キャリアが無認可キャリアの第１の組に属するかに関する情報と、どの無認可キャリアが無認可キャリアの第２の組に属するかに関する情報とを受信する。第１の組および第２の組は、ｅＮｏｄｅＢまたは別のセルラーネットワークノードによって定義され得る。第１の組は、他のＳＣｅｌｌまたは他の非セルラーデバイスへの干渉を被りにくい無認可キャリアを含み得る。第２の組は、他のＳＣｅｌｌまたは他の非セルラーデバイスへの干渉を被る可能性が高い無認可キャリアを含み得る。
【０１５２】
２組以上のキャリアが定義され得る。キャリアの組は、それぞれ、キャリアのリストのフォーマットを有し得る。
【０１５３】
どの無認可キャリアが無認可キャリアの第１の組に属するかに関する情報、およびどの無認可キャリアが無認可キャリアの第２の組に属するかに関する情報は、ｅＮｏｄｅＢによって送信されるシステム情報ブロック（ＳＩＢ）に含まれ得る。７１で受信された情報は、無認可キャリアの構成を含むＳＩＢ、または無認可キャリアの構成を含むＳＩＢとは異なるＳＩＢに含まれ得る。
【０１５４】
無認可キャリアを、即時のチャネル測定のための第１の組に割り当てる情報、または遅延したイベントトリガチャネル測定のための第２の組に割り当てる情報は、静的または半静的変数であり得る。
【０１５５】
ステップ７１で受信された情報は、様々なフォーマットのうちのいずれか１つを有し得る。情報は、複数のキャリアの各々について、キャリアが第１の組に含まれているか、第２の組に含まれているかを定義し得る。これは、例えば、複数の無認可キャリアの各々についてキャリアごとに組を示すことによって、またはそれぞれの無認可キャリアが割り当てられている組に応じてキャリア識別子をグループ化することによってなど、様々な方法で行われ得る。
【０１５６】
７２において、ユーザ機器は、第１の組の中の１つ以上の無認可キャリアについてチャネル測定を実行する。トリガイベントの検出前に実行されるチャネル測定は、第１の組の中の無認可キャリアに制限される。チャネル測定の結果は、ユーザ機器によってｅＮｏｄｅＢに報告され得る。報告は、イベントベースの方法で実行され得る。ｅＮｏｄｅＢへのチャネル測定結果の送信をトリガする送信トリガイベントは、一般に、第２の組の中の１つ以上の無認可キャリアについての遅延した測定をトリガするイベントとは異なる。
【０１５７】
７３において、ユーザ機器は、トリガイベントが検出されたかどうかを検証する。トリガイベントは、ｅＮｏｄｅＢによってユーザ機器において構成され得る。
【０１５８】
説明のために、トリガイベントは、ある無認可キャリアが、ｅＮｏｄｅＢ１０によって構成、構成解除、アクティブ化、または非アクティブ化されたときに検出され得る。
【０１５９】
代替または追加として、トリガイベントは、第１の組の中のアクティブな無認可キャリアの数が閾値未満であるときに検出され得る。閾値は、ｅＮｏｄｅＢ１０によって構成されてもよい。
【０１６０】
代替的にまたは追加的に、トリガイベントは、第１のリスト内の無認可キャリアの数が閾値未満であるときに検出され得、および／または別のＳＣｅｌｌもしくは非セルラーデバイスからの干渉が検出されない第１のリスト内の無認可キャリアの数が閾値未満であるときに検出され得る。閾値は、ｅＮｏｄｅＢ１０によって構成され得る。
【０１６１】
代替または追加として、トリガメッセージは、トリガメッセージがｅＮｏｄｅＢ１０から受信されたときに検出され得る。トリガメッセージは、ｅＮｏｄｅＢ１０がユーザ機器２１を割り当てたグループのグループ識別子を示すマルチキャストまたはブロードキャストメッセージであり得る。
【０１６２】
７３において第２の組の測定を開始するためのトリガイベントが検出されない場合、無認可キャリアについてのチャネル測定は、７２において第１の組に含まれる無認可キャリアに制限されたままである。トリガイベントが検出された場合、方法は７４に進む。
【０１６３】
７４において、ユーザ機器は、第２の組の中の１つ以上の無認可キャリアについてのチャネル測定の実行を開始する。トリガイベントの検出後に実行されるチャネル測定は、第２の組の中の少なくとも１つの無認可キャリアを含むが、第１の組の中の１つ以上の無認可キャリアも含み得る。チャネル測定の結果は、ユーザ機器によってｅＮｏｄｅＢに報告され得る。報告は、イベントベースの方法で実行され得る。ｅＮｏｄｅＢへのチャネル測定結果の送信をトリガする送信トリガイベントは、一般に、第２の組の中の１つ以上の無認可キャリアについての遅延した測定をトリガするイベントとは異なる。
【０１６４】
図７は、実施形態によるｅＮｏｄｅＢ１０およびユーザ機器２１、２２のシグナリング図である。
【０１６５】
８１において、ｅＮｏｄｅＢ１０は、優先順位付け情報を送信し得る。優先順位付け情報は、ＳＩＢに含まれ得る。優先順位付け情報は、無認可キャリア構成も含むＳＩＢに含まれ得る。優先順位付け情報はブロードキャストされ得る。
【０１６６】
優先順位付け情報は、どの無認可キャリアが、トリガイベントの検出前にチャネル測定が実行されるべき無認可キャリアの第１の組に属しているか、およびどの無認可キャリアが、トリガイベントの検出後のみにチャネル測定が開始されるべき無認可キャリアの第２の組に属しているかを定義し得る。
【０１６７】
８２および８３において、ユーザ機器２１、２２は、チャネル測定を実行し得る。チャネル測定は、第１の組の無認可キャリアにおけるＲＸ電力、第１の組の無認可キャリアにおけるノイズ、または他のＳＣｅｌｌへの干渉を検出するのに適した他のパラメータを検出し得る。チャネル測定は、トリガイベントが検出されるまで、ｅＮｏｄｅＢ１０によって構成された第１の組に含まれる無認可キャリアに制限され得る。
【０１６８】
８４および８５において、ユーザ機器２１、２２は、チャネル測定結果をｅＮｏｄｅＢ１０に報告し得る。報告は、チャネル測定結果の送信をトリガする送信トリガイベントによってトリガされ得る。報告は、例えば、タイマーの満了によって、時間ベースの方法で実施されてもよい。
【０１６９】
８６において、ユーザ機器２１は、トリガイベントを検出し得る。トリガイベントは、ある主要なキャリアが構成され、構成解除され、アクティブ化され、または非アクティブ化されたことを検出すること、アクティブキャリアの数がある閾値未満であることを検出すること、第１の組の中の適したキャリアの数がある閾値未満であることを検出すること、ｅＮｏｄｅＢからトリガメッセージを検出することから成るグループから選択され得る。
【０１７０】
８７において、トリガイベント８６の検出に応答して、ユーザ機器２１は、第２の組の中の無認可キャリアについてのチャネル測定の実行を開始する。チャネル測定は、第２の組の無認可キャリアにおけるＲＸ電力、第２の組の無認可キャリアにおけるノイズ、または他のＳＣｅｌｌへの干渉を検出するのに適した他のパラメータを検出し得る。
【０１７１】
８８において、ユーザ機器２１は、第２の組の中の無認可キャリアについて得られたものを含むチャネル測定結果をｅＮｏｄｅＢ１０に報告し得る。報告は、チャネル測定結果の送信をトリガする送信トリガイベントによってトリガされ得る。報告は、例えば、タイマーの満了によって、時間ベースの方法で実施されてもよい。
【０１７２】
図８は、実施形態によるｅＮｏｄｅＢ１０およびユーザ機器２１、２２のシグナリング図である。
【０１７３】
図８に示されるシグナリングでは、ｅＮｏｄｅＢ１０およびユーザ機器２１、２２は、第２の組の中の無認可キャリアについての遅延したチャネル測定を開始するために監視されるトリガイベントもｅＮｏｄｅＢ１０によって構成されるように動作可能である。
【０１７４】
８９において、ｅＮｏｄｅＢ１０は、ユーザ機器２１、２２においてトリガイベントを構成し得る。ｅＮｏｄｅＢ１０は、専用シグナリングまたはマルチキャストメッセージを使用して、無認可キャリアについての遅延したチャネル測定をトリガするトリガイベントを構成し得る。トリガイベントは、ある主要なキャリアが構成され、構成解除され、アクティブ化され、または非アクティブ化されたことを検出すること、アクティブキャリアの数がある閾値未満であることを検出すること、第１の組の中の適したキャリアの数がある閾値未満であることを検出すること、ｅＮｏｄｅＢからトリガメッセージを検出することから成るグループから選択され得る。
【０１７５】
複雑さ、シグナリングオーバーヘッド、および端末電力消費を低減するためにチャネル測定が遅延され得る無認可キャリアを定義することに加えて、またはその代わりに、無認可キャリアの優先順位付けも、無認可キャリアがユーザ機器によって使用されるべき順序を定義し得る。優先順位付け情報は、マルチキャストまたはブロードキャストメッセージで提供され得る。ユーザ機器は、キャリア切替えの前の専用のシグナリングなしに、優先順位付け情報によって定義された順序に従って、無認可キャリア間で切り替わり得る。
【０１７６】
図９は、一実施形態による方法９０のフローチャートである。方法９０は、一実施形態に従ってユーザ機器によって実行され得る。
【０１７７】
９１において、ユーザ機器は、複数の無認可キャリアの優先順位付け情報を受信し得る。優先順位付け情報は、どの無認可キャリアが好ましいかを定義し得る。優先順位付け情報は、ｅＮｏｄｅＢによってブロードキャストされてもよい。無認可キャリアの優先順位付けは、ｅＮｏｄｅＢおよび／またはユーザ機器によって実行されたチャネル測定に基づいて設定され得る。優先順位付け情報は、認可キャリアを介して受信され得る。
【０１７８】
無認可キャリアが使用されるべき順番を定義する優先順位付け情報は、様々なフォーマットを有し得る。説明のために、優先順位付け情報は、無認可キャリア識別子を順番に含み得、無認可キャリアが使用されるべき順序を定義する。無認可キャリアが使用されるべき順番を定義する優先順位付け情報は、キャリア構成も定義するＳＩＢに含まれ得る。
【０１７９】
９２において、ユーザ機器は、１つ以上の無認可キャリアについてのチャネル測定を実行し得る。チャネル測定は、上記で図１〜図８を参照しながら説明したように、いくつかの無認可キャリアについて遅延され得る。チャネル測定は、少なくとも現在使用されている無認可キャリアについて実行され得る。
【０１８０】
９３において、ユーザ機器は、ユーザ機器によって使用される無認可キャリアが変更されるべきかどうかを判定し得る。様々な基準のうちのいずれか１つが評価され得る。説明のために、ユーザ機器は、現在使用されている無認可キャリアについてのチャネル測定が閾値を超える干渉を示しているかどうかを判定し得る。干渉は、ＲＸ電力、ノイズ、またはユーザ機器の受信経路における無認可キャリアについて決定された他のパラメータによって定量化され得る。代替または追加として、ユーザ機器は、ｅＮｏｄｅＢが無認可キャリアのＤＴＸモードに入ろうとしているかどうかを判定し得る。キャリア切替えが実行されない場合、少なくとも現在アクティブな無認可キャリアについて７２でチャネル測定が続行され得る。
【０１８１】
９４において、キャリア切替えが実行される場合、ユーザ機器は、９１で受信された優先順位付け情報に従って次の無認可キャリアに変わり得る。
【０１８２】
９５において、ユーザ機器は、ｅＮｏｄｅＢにキャリア切替えを実行したことを通知し得る。ｅＮｏｄｅＢは、優先順位付け情報によって定義された無認可キャリアの順番を認識しているので、使用されている新しい無認可キャリアに関する情報を、ｅＮｏｄｅＢに送信されるメッセージに含める必要はない。ユーザ機器は、認可キャリアを介してキャリア切替えに関する情報を送信し得る。
【０１８３】
それによって、ＬＡＡは、ユーザ機器による無認可キャリアの自律的な切替えを実行するために使用され得る。ｅＮｏｄｅＢは、それによって、あるキャリア切替え順序を定義するように、キャリア優先順位レベルを事前構成し得る。この情報は、すべての無認可キャリア候補の構成とともにユーザ機器に送られ得る。
【０１８４】
現在アクティブなキャリアが、ある期間の間、ある閾値を超える干渉を経験するとき、ユーザ機器は、優先順位付け情報に従って次の無認可キャリアに自律的に切り替わり得、ｅＮｏｄｅＢに通知するためにアップリンク認可キャリアを使用して、ｅＮｏｄｅＢにキャリア切替えを通知し得る。
【０１８５】
ｅＮｏｄｅＢ１０がある無認可キャリアにおいてＤＴＸ状態に入ることを望むとき、ｅＮｏｄｅＢ１０は、ユーザ機器に通知する。ユーザ機器は、優先順位付け情報に従って次の無認可キャリアに切り替わり得る。
【０１８６】
優先順位付け情報によって示されるように、無認可キャリアが使用されるべき順番は、チャネル測定結果に従って更新され得る。チャネル測定結果は、ｅＮｏｄｅＢで実行された測定、および／またはユーザ機器によってｅＮｏｄｅＢに報告された測定によって得られ得る。
【０１８７】
図１０は、実施形態によるｅＮｏｄｅＢ１０およびユーザ機器２１のシグナリング図である。
【０１８８】
図１０に示されるシグナリングでは、ｅＮｏｄｅＢ１０およびユーザ機器２１は、ユーザ機器が無認可キャリアの間で切り替わり得る順序がｅＮｏｄｅＢ１０によって事前構成されるように動作可能である。
【０１８９】
１０１において、ユーザ機器は、複数の無認可キャリアの優先順位付け情報を受信し得る。優先順位付け情報は、どの無認可キャリアが好ましいかを定義し得る。優先順位付け情報は、ｅＮｏｄｅＢ１０によってブロードキャストされてもよい。無認可キャリアの優先順位付けは、ｅＮｏｄｅＢおよび／またはユーザ機器によって実行されたチャネル測定に基づいて設定され得る。優先順位付け情報は、認可キャリアを介して受信され得る。優先順位付け情報は、無認可キャリアがユーザ機器によって使用されるべき順番を定義し得る。
【０１９０】
１０２において、ユーザ機器２１は、１つ以上の無認可キャリアについてのチャネル測定を実行し得る。ｅＮｏｄｅＢ１０によって構成された少なくともいくつかの無認可キャリアについて、ユーザ機器２１は、前に説明したようにチャネル測定を遅延させ得る。
【０１９１】
１０３において、ユーザ機器２１は、別の無認可キャリアに切り替わり得る。キャリア切替えは、ｅＮｏｄｅＢ１０からの事前許可を要求することなく実行され得る。キャリア切替えは、１０１で受信された優先順位付け情報によって示されるように、無認可キャリアが使用されるべき事前構成された順番を使用する自律的プロセスであり得る。
【０１９２】
１０４では、ユーザ機器２１は、ユーザ機器２１が別の無認可キャリアに切り替わったことをｅＮｏｄｅＢ１０に通知し得る。キャリア切替えが行われたという情報は、ＵＬ認可キャリアを介して送信され得る。
【０１９３】
図１１は、実施形態によるｅＮｏｄｅＢ１０およびユーザ機器２１のシグナリング図である。
【０１９４】
図１１に示されるシグナリングでは、ｅＮｏｄｅＢ１０およびユーザ機器２１は、ユーザ機器が無認可キャリアの間で切り替わり得る順序がｅＮｏｄｅＢ１０によって事前構成されるように動作可能である。
【０１９５】
１０１において、ユーザ機器は、図９および図１０を参照しながら説明したように、複数の無認可キャリアの優先順位付け情報を受信し得る。
【０１９６】
１１１において、ｅＮｏｄｅＢ１０は、無認可キャリアのＤＴＸモードに入ろうとしている。
【０１９７】
１１２において、ユーザ機器２１は、ｅＮｏｄｅＢ１０が無認可キャリアのＤＴＸモードに入ろうとしていることが通知され得る。信号１１２は、認可キャリアを介して送信され得る。
【０１９８】
１１３において、ユーザ機器２１は、別の無認可キャリアに切り替わり得る。キャリア切替えは、ｅＮｏｄｅＢ１０からの事前許可を要求することなく実行され得る。キャリア切替えは、１０１で受信された優先順位付け情報によって示されるように、無認可キャリアが使用されるべき事前構成された順番を使用する自律的プロセスであり得る。
【０１９９】
実施形態によるｅＮｏｄｅＢおよびユーザ機器は、無認可キャリアについてのキャリア切替えがグループ単位で制御され得るように構成され得る。この目的で、ｅＮｏｄｅＢ自体は、複数の無認可キャリアについての可能な干渉を検出するためにチャネル測定を実行し得る。代替または追加として、ユーザ機器は、ｅＮｏｄｅＢにチャネル測定を報告し得る。チャネル測定の実行および報告は、トリガイベントの検出まで、ｅＮｏｄｅＢによって構成されたいくつかの無認可キャリアについてチャネル測定が遅延されるように実施され得る。
【０２００】
ユーザ機器および／またはｅＮｏｄｅＢによって実行されたチャネル測定に応じて、異なるユーザ機器が同じグループまたは異なるグループに割り当てられ得る。
【０２０１】
シグナリングオーバーヘッドは、マルチキャストを使用して、同じグループに割り当てられたいくつかのユーザ機器がマルチキャストメッセージに従って別の無認可キャリアに変わるグループキャリア切替え動作を実施することによって小さく保たれ得る。専用のシグナリングを使用して、グループベースのシグナリングを上書きし得る。
【０２０２】
図１２は、一実施形態による方法１２０のフローチャートである。方法１２０は、一実施形態に従って、ｅＮｏｄｅＢによって、または別のセルラーネットワークノードによって実行され得る。
【０２０３】
１２１において、ｅＮｏｄｅＢは、１つ以上の無認可キャリアについてのチャネル測定を実行し得る。代替または追加として、ｅＮｏｄｅＢは、ユーザ機器から無認可キャリアについてのチャネル測定報告を受信し得る。
【０２０４】
１２２において、ｅＮｏｄｅＢは、ユーザ機器をグループに割り当て得る。これは様々な方法で行われ得る。ｅＮｏｄｅＢが、無認可キャリアへの干渉を引き起こすＳＣｅｌｌおよび／または無認可キャリアへの干渉引き起こす非セルラーデバイスを検出した場合、ｅＮｏｄｅＢは、そのカバレージエリア内のすべてのユーザ機器を同じグループに割り当て得る。代替または追加として、ユーザ機器が、例えば、同じ無認可キャリアについてのＲＸ電力またはノイズを報告する場合、ｅＮｏｄｅＢは、ユーザ機器を同じグループに割り当て得る。無認可キャリアについての報告されたチャネル測定が一致しない場合、すなわち、ユーザ機器が異なる無認可キャリアについての干渉を経験する場合、ユーザ機器は、異なるグループに割り当てられ得る。
【０２０５】
１２３において、ｅＮｏｄｅＢは、グループ単位でキャリア切替えまたは他のＬＡＡ機能を制御し得る。ｅＮｏｄｅＢは、マルチキャストメッセージに従ってグループ内のすべてのユーザ機器にキャリア切替えを実行させるために、マルチキャストメッセージをグループに送信し得る。これによって、シグナリングオーバーヘッドが低減され得る。
【０２０６】
図１３は、ＬＡＡにおけるグループベースの制御を実施するための実施形態によるｅＮｏｄｅＢ１０およびユーザ機器２１、２２のシグナリング図である。
【０２０７】
１３１、１３２において、ｅＮｏｄｅＢ１０は、ユーザ機器が割り当てられるグループをユーザ機器２１、２２に通知し得る。認可ＤＬキャリア上のシグナリングを使用して、ユーザ機器が割り当てられるグループをユーザ機器２１、２２に通知し得る。
【０２０８】
１３３において、ｅＮｏｄｅＢは、キャリア切替えを引き起こすように、または不連続受信（ＤＲＸ）モードに入るように同じグループのすべてのユーザ機器を制御するために、マルチキャストメッセージを送信する。マルチキャストメッセージ１３３は、認可キャリアを介して送信され得る。
【０２０９】
グループ化情報は、様々な方法で提供され得る。説明のために、グループ化情報を定義するために、ＭＡＣ制御要素が使用され得る。
【０２１０】
図１４は、グループを示すためのＭＡＣ制御要素を示す。図１４に示すＭＡＣ制御要素は、無認可キャリアについてのキャリア切替えを実行し、および／またはＤＲＸモードに入るようにユーザ機器のグループを制御するために、マルチキャストメッセージを送信するときに使用され得る。
【０２１１】
ｅＮｏｄｅＢは、マルチキャストメッセージ１３３を送信して、グループのすべてのユーザ機器にキャリアを切り替えさせ、それによって、共通のＳＣｅｌｌアクティブ化または非アクティブ化コマンドを実施することができる。コマンド１３３は、例えば、物理ダウンリンク共有チャネル（ＰＤＳＣＨ）で送信され得る。
【０２１２】
ＭＡＣ制御要素１４０は、複数のフィールドを含む。複数のフィールドの各々は、同じグループのユーザ機器に、すなわち同じＳＣｅｌｌに割り当てられ得る。ＭＡＣ制御要素のフィールドＣｉを異なる値に設定することによって、ｅＮｏｄｅＢは、ユーザ機器のどのグループにコマンドが適用可能であるかを示し得る。
【０２１３】
ＬＡＡに参加する各ユーザ機器は、このユーザ機器がどのグループに属するかを示す情報を記憶し得る。ＭＡＣ制御要素１４０を有するコマンドを受信したことに応答して、ユーザ機器は、フィールドＣｉの設定に基づいて、ユーザ機器が属するグループにコマンドが向けられているので、コマンドがユーザ機器に適用されるか、またはユーザ機器がこのコマンドを無視し得るかを判定し得る。
【０２１４】
ｅＮｏｄｅＢによってマルチキャストコマンドとして送信されるコマンドでグループ情報を示すために、他の構成が使用されてもよい。
【０２１５】
図１５は、一実施形態によるｅＮｏｄｅＢによって実行され得る方法１５０のフローチャートである。この方法では、干渉を検出することができるチャネル測定に基づいてグループ化が実行され得る。この方法では、ｅＮｏｄｅＢは、随意に、ＤＴＸ状態に入り、ＬＡＡのためのグループベースの制御を実施し得る。
【０２１６】
この方法は、１５１で開始する。
【０２１７】
１５２において、ｅＮｏｄｅＢは、干渉を検出するために無認可キャリアについてのチャネル測定を実行し得る。ｅＮｏｄｅＢは、１つ以上の干渉するＷｉＦｉデバイス、ＷＬＡＮアクセスポイント、または無認可キャリアにおけるリソースを競い得る他のデバイスの存在を検出し得る。
【０２１８】
１５３において、ｅＮｏｄｅＢ自体が無認可キャリアにおいて干渉を検出するかどうかが判定される。ｅＮｏｄｅＢ自体が無認可キャリアにおいて干渉を検出しない場合、方法は１５４に進む。
【０２１９】
１５４において、ユーザ機器は、ユーザ機器によって実行されたチャネル測定に従ってグループ化され得る。この目的のために、ｅＮｏｄｅＢは、ユーザ機器において構成された無認可キャリアの異なる組を定義し得る。ｅＮｏｄｅＢは、無認可キャリアの少なくとも第１の組および第２の組を定義し得、チャネル測定は、上記のように第２の組の無認可キャリアについてユーザ機器によって遅延される。ｅＮｏｄｅＢは、無認可キャリアがユーザ機器によって使用されるべき順序など、他の優先順位付け情報も構成し得る。
【０２２０】
ｅＮｏｄｅＢは、異なるユーザ機器によって報告された無認可キャリアの測定結果を比較し得る。いくつかのユーザ機器から報告された測定結果が、他のＳＣｅｌｌまたは他の非セルラーデバイスからの干渉がないことを示す場合、これらのユーザ機器は１つのグループに割り当てられる。いくつかのユーザ機器から報告された測定結果が、それらの干渉がすべて、例えば、同じＳＣｅｌｌから、または同じＷｉＦｉデバイスからなど同じソースから来るものであることを示す場合、これらのユーザ機器が１つのグループに割り当てられ得る。グループ化情報はｅＮｏｄｅＢに記憶される。
【０２２１】
ｅＮｏｄｅＢは、ユーザ機器が割り当てられるグループをユーザ機器に通知し得る。ユーザ機器は、この目的のために、専用シグナリング、例えば、無線リソース制御（ＲＲＣ）シグナリングを使用し得る。説明のために、ｅＮｏｄｅＢは、これらのユーザ機器が割り当てられているグループに従って、異なる値に、ＲＲＣ接続再構成メッセージで、ユーザ機器のＧ−ＲＮＴＩおよびセル無線ネットワーク一時識別情報（Ｃ−ＲＮＴＩ）としてグループ識別子を送り得る。
【０２２２】
方法は１５６に進み得る。
【０２２３】
１５５において、ｅＮｏｄｅＢ自体は、無認可キャリアにおいて干渉を検出した場合、ｅＮｏｄｅＢによってサービス提供されるすべてのユーザ機器を同じグループに割り当て得る。ｅＮｏｄｅＢは、ユーザ機器が割り当てられるグループをユーザ機器に通知し得る。ユーザ機器は、この目的のために、専用シグナリング、例えば、無線リソース制御（ＲＲＣ）シグナリングを使用し得る。説明のために、ｅＮｏｄｅＢは、ＲＲＣ接続再構成メッセージで、同じ値に、ユーザ機器のＧ−ＲＮＴＩおよびセル無線ネットワーク一時識別情報（Ｃ−ＲＮＴＩ）としてグループ識別子を送り得る。
【０２２４】
ステップ１５６〜１６０は、ステップ１５１〜１５５と組み合わせて、またはステップ１５１〜１５５とは別に実行され得る。
【０２２５】
１５６において、ｅＮｏｄｅＢは、バックオフするように、ＤＴＸ状態に入るかどうかを判定し得る。説明のために、ｅＮｏｄｅＢがＷｉＦｉビーコン信号または他のＳＣｅｌｌによる無認可キャリアの使用を検出した場合、ｅＮｏｄｅＢはバックオフすることを決定し得る。ｅＮｏｄｅＢがバックオフするかどうかの決定を行うために、スケジューリングアルゴリズムおよび戦略が実施され得る。スケジューリングアルゴリズムは、ｅＮｏｄｅＢおよび他のシステムが無認可キャリアを占有する期間、システム間の優先順位、または他の基準を考慮し得る。スケジューリングアルゴリズムは、調整機構も考慮し得る。説明のために、異なるＬＡＡ事業者が互いに協調し得る。
【０２２６】
ｅＮｏｄｅＢがバックオフすることを決定すると、ｅＮｏｄｅＢはＤＴＸ状態に入る。対応するＳＣｅｌｌは、ＷｉＦｉなどの他のシステム、または他のセルラーネットワーク事業者によって使用することができる。
【０２２７】
ｅＮｏｄｅＢは、バックオフしないことを決定した場合、無認可キャリアを使用し続け得る。
【０２２８】
そのような機構によって、ｅＮｏｄｅＢは、無認可キャリアの使用に競合がある場合、例えば、他のＬＴＥ  ＳＣｅｌｌ、ＷｉＦｉデバイス、またはＷＬＡＮアクセスポイントなど他のシステムによる使用のために無認可キャリアを自由に保ち得る。ｅＮｏｄｅＢは、例えば、干渉がない場合、無認可キャリアを使用し得る。説明のために、ｅＮｏｄｅＢが、他のＳＣｅｌｌまたは他の非セルラーデバイスによって引き起こされる無認可キャリアへの干渉がないことを検出した場合、ｅＮｏｄｅＢは、例えば、データオフロードのために無認可キャリアを再び使用し始め得る。
【０２２９】
１５７において、ｅＮｏｄｅＢは、無認可キャリアにおいてＤＴＸに入るトリガ条件が満たされているかどうかを判定する。トリガ条件が満たされていない場合、方法は１５３に戻り得る。トリガ条件が満たされている場合、ｅＮｏｄｅＢは、異なるＳＣｅｌｌを使用できるかどうかに応じて異なる動作をとり得る。説明のために、無認可キャリアがいかなる干渉をも起こさないように構成されたＳＣｅｌｌがある場合、ｅＮｏｄｅＢは、１つのグループまたは複数のグループ内のユーザ機器にキャリア切替えを実行させ得る。これによって、干渉が検出されない無認可キャリアが使用され得る。利用可能なＳＣｅｌｌが１つだけある場合、ｅＮｏｄｅＢがＤＴＸモードに入ると、ｅＮｏｄｅＢは、ユーザ機器が無認可キャリアのＤＲＸモードに入るようにすることができる。
【０２３０】
１５８において、ｅＮｏｄｅＢは、いくつかのＳＣｅｌｌが利用可能であるかどうかを判定し得る。利用可能な複数のＳＣｅｌｌがない場合、方法は１５９に進む。１５９において、ｅＮｏｄｅＢは、ＤＲＸコマンドをマルチキャストし得る。ＤＲＸコマンドは、グループ内のユーザ機器に、無認可キャリアのＤＲＸモードに入るように指示し得る。上記で説明したように、これによって、ユーザ機器は、ｅＮｏｄｅＢによってユーザ機器において構成された優先順位付け情報に従って、別の無認可キャリアを選択し得る。ＤＲＸコマンドは、ＰＤＳＣＨチャネルでｅＮｏｄｅＢによって送られ得る。ＭＡＣ制御要素は、それぞれの無認可キャリアの使用を停止するユーザ機器のグループを示し得る。方法は１６１で終了し得る。
【０２３１】
１６０において、いくつかのＳＣｅｌｌが利用可能であるとｅＮｏｄｅＢが判定した場合、ｅＮｏｄｅＢは、共通のＳＣｅｌｌアクティブ化／非アクティブ化コマンドをいくつかのユーザ機器に送り得る。共通のＳＣｅｌｌアクティブ化／非アクティブ化コマンドは、マルチキャストメッセージであり得る。共通のＳＣｅｌｌアクティブ化／非アクティブ化コマンドは、ＰＤＳＣＨチャネルで送信され得る。共通のＳＣｅｌｌアクティブ化／非アクティブ化コマンドは、どのＳＣｅｌｌがアクティブ化または非アクティブ化されるべきかを示すために、図１４を参照して説明したように構成されたＭＡＸ情報要素を含み得る。これによって、無認可キャリアの使用に対する制御が、グループ単位で実施され得る。方法は１６１で終了し得る。
【０２３２】
図１６は、一実施形態に従ってユーザ機器によって実行され得る方法１７０のフローチャートである。
【０２３３】
この方法は、１７１で開始する。
【０２３４】
１７２において、ユーザ機器は、ｅＮｏｄｅＢから測定構成を受信し得る。測定構成は、複数の無認可キャリアを構成し得る。測定構成は、優先順位付け情報を含み得る。優先順位付け情報は、より優先順位の低いいくつかの無認可キャリアについて、チャネル測定の遅延を可能にするように、無認可キャリアの異なる組を定義し得る。測定構成は、ユーザ機器に、より優先順位の低い無認可キャリアについてのチャネル測定の実行を開始させるトリガイベントも定義し得る。
【０２３５】
１７３において、ユーザ機器は、チャネル測定を実行し得る。ＲＸ電力、ノイズ、または無認可キャリアにおける干渉を定量化する他のパラメータが測定され得る。チャネル測定は、トリガイベントの検出に応答して、無認可キャリアのうちの少なくとも一部についてのみ開始され得る。
【０２３６】
説明のために、トリガイベントは、ある無認可キャリアが、ｅＮｏｄｅＢ１０によって構成、構成解除、アクティブ化、または非アクティブ化されるものであってもよい。
【０２３７】
トリガイベントは、第１の組の中のアクティブな無認可キャリアの数が閾値未満であるものであってもよい。閾値は、ｅＮｏｄｅＢ１０によって構成されてもよい。
【０２３８】
トリガイベントは、第１のリスト内の無認可キャリアの数が閾値未満であり、および／または別のＳＣｅｌｌもしくは非セルラーデバイスからの干渉が検出されない第１のリスト内の無認可キャリアの数が閾値未満であるものであってもよい。閾値は、ｅＮｏｄｅＢ１０によって構成されてもよい。
【０２３９】
トリガイベントは、ｅＮｏｄｅＢ１０からのトリガメッセージの受信であり得る。トリガメッセージは、ｅＮｏｄｅＢ１０がユーザ機器２１を割り当てたグループのグループ識別子を示すマルチキャストまたはブロードキャストメッセージであり得る。
【０２４０】
ユーザ機器は、無認可キャリアにおいて干渉を検出した場合、図９〜図１１を参照して詳細に説明したように、別の無認可キャリアに切り替わり得る。
【０２４１】
１７４において、ユーザ機器は、ｅＮｏｄｅＢにチャネル測定に関する報告を送り得る。測定報告は、認可ＵＬキャリアを介して送信され得る。測定報告は、送信トリガイベントに応答して送信され得る。送信トリガイベントの例には、他のＳＣｅｌｌから受信された干渉の強度または信号品質がある。
【０２４２】
ステップ１７５〜１７８は、ステップ１７１〜１７４とは別に、またはステップ１７１〜１７４と組み合わせて実行され得る。
【０２４３】
１７５において、ユーザ機器は、グループ化構成メッセージを受信し得る。グループ化構成メッセージは、ユーザ機器が割り当てられたグループをユーザ機器に通知し得る。グループ化情報メッセージは、ＲＲＣ接続再構成メッセージであり得る。ユーザ機器は、Ｇ−ＲＮＴＩまたは別の情報要素からグループ情報を取り出し得る。
【０２４４】
１７６〜１７８において、ユーザ機器は、グループ単位の制御を使用して、ｅＮｏｄｅＢがＬＡＡのための無認可キャリアの使用を制御するかどうかを検出するために、マルチキャストメッセージを監視し得る。
【０２４５】
１７６において、ユーザ機器は、ユーザ機器が割り当てられたグループの制御メッセージであるマルチキャストメッセージを検出するために、物理ダウンリンク制御チャネル（ＰＤＣＣＨ）を監視し得る。ユーザ機器は、マルチキャストメッセージを検出するために、認可ＤＬキャリア、すなわち１次セル（ＰＣｅｌｌ）を監視する。
【０２４６】
１７７において、ＰＤＣＣＨにおいて受信されたメッセージが、ユーザ機器が属するグループに向けられているかどうかが決定される。この決定は、受信されたメッセージ内のＧ−ＲＮＴＩに基づいて実行され得る。１７６での監視は、ユーザ機器が属するグループの制御メッセージが受信されるまで続行され得る。
【０２４７】
１７８において、ユーザ機器が属するグループに向けられたマルチキャストメッセージを受信したことに応答して、ユーザ機器は、マルチキャストメッセージでｅＮｏｄｅＢによって提供されたコマンドを実施し得る。
【０２４８】
説明のために、制御メッセージが共通のＤＲＸコマンドである場合、ユーザ機器は、共通のＤＲＸコマンドが、ユーザ機器が属するグループに向けられているかどうかを判定し得る。ユーザ機器は、受信されたＧ−ＲＮＴＩを、１７５で前に受信され、ユーザ機器に記憶されたものと比較し得る。ユーザ機器は、共通のＤＲＸコマンドが、ユーザ機器が属するグループに向けられている場合、ＤＲＸモードに入り得る。
【０２４９】
さらなる説明のために、制御メッセージが共通のＳＣｅｌｌアクティブ化／非アクティブ化コマンドである場合、ユーザ機器は、共通のＳＣｅｌｌアクティブ化／非アクティブ化コマンドが、ユーザ機器が属するグループに向けられているかどうかを判定し得る。ユーザ機器は、受信されたＧ−ＲＮＴＩを、１７５で前に受信され、ユーザ機器に記憶されたものと比較し得る。ユーザ機器は、コマンドが、ユーザ機器が属するグループに向けられている場合、ＳＣｅｌｌアクティブ化／非アクティブ化コマンドに準拠するように無認可キャリア切替えを実施し得る。
【０２５０】
１７９において、この方法は終了し得る。
【０２５１】
実施形態によるデバイス、方法、およびシステムによって様々な効果が達成される。説明のために、デバイス、システム、および方法は、例えばシグナリングオーバーヘッドなどのシステム負荷を低減し、ＬＡＡを実施するときの複雑さを低減し得る。
【０２５２】
例示的な実施形態を、図面を参照して説明してきたが、他の実施形態では、変更が実施されてもよい。説明のために、特定のシグナリング方式を説明したが、他の実施形態では、他のメッセージおよび制御要素が使用されてもよい。
【０２５３】
本発明は、いくつかの好ましい実施形態に関して図示され説明されているが、本明細書を読み、理解すると、当業者には均等物および変更が心に浮かぶであろう。本発明は、そのような均等物および変更のすべてを含む。
【図１】
0006378446.tif 000002
【図２】
0006378446.tif 000003
【図３】
0006378446.tif 000004
【図４】
0006378446.tif 000005
【図５】
0006378446.tif 000006
【図６】
0006378446.tif 000007
【図７】
0006378446.tif 000008
【図８】
0006378446.tif 000009
【図９】
0006378446.tif 000010
【図１０】
0006378446.tif 000011
【図１１】
0006378446.tif 000012
【図１２】
0006378446.tif 000013
【図１３】
0006378446.tif 000014
【図１４】
0006378446.tif 000015
【図１５】
0006378446.tif 000016
【図１６】
0006378446.tif 000017